(57)【特許請求の範囲】
【請求項１】
本体ケースと、
前記本体ケースの上部に取り付けられたトッププレートと、
前記トッププレートが取り付けられた前記本体ケースの後部に、該本体ケースの幅方向に並んで設けられた吸気口および排気口と、
前記本体ケース内に設けられ、前記トッププレートに載置された被加熱物を加熱する加熱源と、
外部の空気を冷却空気として前記吸気口から吸引し、前記本体ケース内に送り込んで前記排気口から排出する冷却ファンモーターとを備え、
前記本体ケースの外側の面に設けられた害虫誘引器をさらに備え、
前記害虫誘引器は、害虫が出入可能な開口を有する矩形状箱体から構成され、前記本体ケースの外側の面に接触する側の内面に害虫を捕獲するための粘着材が施され、前記本体ケースの外側の面と対向する面に、シート状の磁石が取り付けられていることを特徴とする加熱調理器。
【請求項２】
前記害虫誘引器の内側の空間の高さは、５〜１０ｍｍであることを特徴とする請求項１記載の加熱調理器。
【請求項３】
前記本体ケースの吸気口と排気口側の周辺部に、忌避剤が施された部材が用いられていることを特徴とする請求項１又は２記載の加熱調理器。
【発明の詳細な説明】
【技術分野】
【０００１】
本発明は、本体ケース内に侵入したゴキブリの対策を施した加熱調理器に関するものである。
【背景技術】
【０００２】
従来の加熱調理器におけるゴキブリ対策として、本体ケース内にスプレーあるいは刷毛塗りにより忌避剤を施し、ゴキブリ等の害虫による侵入を防止するものがある（例えば、特許文献１参照）。
また、冷却ファンによる冷却風に忌避効果を付与する忌避手段を備えたものもある（例えば、特許文献２参照）。
【先行技術文献】
【特許文献】
【０００３】
【特許文献１】特開平１１−３４４２２７号公報（要約書、図１）
【特許文献２】特開２００７−３３５２３５号公報（要約書、図４）
【発明の概要】
【発明が解決しようとする課題】
【０００４】
前述した特許文献１に記載の加熱調理器では、ケーシング内へのゴキブリの侵入を防止できるものの、基板や充電部にゴキブリが侵入する虞がある。また、特許文献２に記載の加熱調理器では、基板への侵入を阻害する効果はあるが、忌避剤が揮発性であるため、その効果は長続きしないという課題がある。
【０００５】
本発明は、前述のような課題を解決するためになされたものであり、電源基板や加熱源の充電部への害虫の浸入を抑制する加熱調理器を提供することを目的とする。
【課題を解決するための手段】
【０００６】
本発明に係る加熱調理器は、本体ケースと、本体ケースの上部に取り付けられたトッププレートと、トッププレートが取り付けられた本体ケースの後部に、本体ケースの幅方向に並んで設けられた吸気口および排気口と、本体ケース内に設けられ、トッププレートに載置された被加熱物を加熱する加熱源と、外部の空気を冷却空気として吸気口から吸引し、本体ケース内に送り込んで排気口から排出する冷却ファンモーターとを備え、本体ケースの外側の面に設けられた害虫誘引器をさらに備え、害虫誘引器は、害虫が出入可能な開口を有する矩形状箱体から構成され、本体ケースの外側の面に接触する側の内面に害虫を捕獲するための粘着材が施され、本体ケースの外側の面と対向する面に、シート状の磁石が取り付けられている。
【発明の効果】
【０００７】
本発明によれば、害虫誘引器を本体ケースの内側の面のうち内部に形成された空間に接する面に設けているので、本体ケース内に害虫であるゴキブリが侵入したとしても、ゴキブリの習性により害虫誘引器内に定着する。これにより、加熱源、冷却ファンモーター等の充電部や基板ケース内に定着する可能性が低くなり、そのため、ゴキブリの充電部での感電による部品故障を抑えることが可能になる。
【図面の簡単な説明】
【０００８】
【図１】実施の形態に係る加熱調理器の外観を示す斜視図である。
【図２】実施の形態に係る加熱調理器を透過して示す斜視図である。
【図３】図２に示す矢視Ｘ−Ｘ方向から見て示す加熱調理器の断面図である。
【図４】実施の形態に係る加熱調理器の側板に害虫誘引器を取り付けて示す斜視図である。
【図５】図４に示す害虫誘引器の変形例を示す斜視図である。
【発明を実施するための形態】
【０００９】
図１は実施の形態に係る加熱調理器の外観を示す斜視図、図２は実施の形態に係る加熱調理器を透過して示す斜視図、図３は図２に示す矢視Ｘ−Ｘ方向から見て示す加熱調理器の断面図、図４は実施の形態に係る加熱調理器の側板に害虫誘引器を取り付けて示す斜視図である。
【００１０】
これらの図において、本実施の形態の加熱調理器は、例えば誘導加熱調理器に適用され、その本体ケース１は、上部に開口を有する矩形状箱体に形成されている。本体ケース１の上部開口は、枠体３が取り付けられたトッププレート２によって覆われている。トッププレート２は、耐熱強化ガラスより構成され、その裏面には内部が見えないように印刷が施されている。また、トッププレート２の表面には、例えば、被加熱物である調理容器を加熱する位置を示す円形の加熱部Ｈ１、Ｈ２、Ｈ３が印刷等の方法で表示されている。
【００１１】
トッププレート２の前側の枠体３には、上面操作部４が設けられている。その上面操作部４は、例えば、加熱部Ｈ１、Ｈ２にそれぞれ対応して設けられた火力設定用操作部と、グリルの加熱を操作するグリル用操作部からなっている。トッププレート２の後ろ側の枠体３には、排気カバー５および吸気カバー６が着脱自在に設けられている。
【００１２】
トッププレート２の前面側の中央部には、中央の加熱部Ｈ３の動作状態や、グリルの操作手順、動作状態等を表示する中央液晶表示部７と、その加熱部Ｈ３の火力を表示する中央火力表示部８が設けられている。また、中央液晶表示部７の左右には、加熱部Ｈ１、Ｈ２の動作状態をそれぞれ表示する液晶表示部９と、加熱部Ｈ１、Ｈ２の火力をそれぞれ表示する火力表示部１０が設けられている。
【００１３】
本体ケース１の前面には、前後に移動可能なグリル扉１１と前面操作部１２が設けられている。前面操作部１２には、加熱部Ｈ１、Ｈ２、Ｈ３の火力をそれぞれ調節するための火力調節ダイヤル１３や電源スイッチ等が設けられている。
【００１４】
本体ケース１内には、図２に示すように、加熱調理器の加熱源である左加熱コイル２１Ｌと右加熱コイル２１Ｒおよびラジエントヒーター２２が配置されている。左・右加熱コイル２１Ｌ、２１Ｒは、本体ケース１内に水平に張られた水平仕切板２３の上面に配置されている。ラジエントヒーター２２は、その仕切板２３の後部側中央に配置されている。また、本体ケース１の底板には、グリル加熱庫２４、電源基板や制御基板が収容された基板ケース２５が配置されている。グリル加熱庫２４側と基板ケース２５側は、水平仕切板２３と本体ケース１の底板の間に垂直に張られた垂直仕切板２６によって仕切られている。
【００１５】
グリル加熱庫２４は、前面に開口を有する矩形状箱体に形成され、その中にシーズヒーターからなる上ヒーター２４ａと下ヒーター２４ｂが配設されている（図３参照）。グリル加熱庫２４の前面開口は、前述したグリル扉１１によって開閉される。また、グリル加熱庫２４の背面には、本体ケース１の後部に設けられた排気口２７内に配置された排気口２９を有する排気ダクト２８が取り付けられている。その排気ダクト２８内には、魚などの加熱調理時に発生する煙や臭いを除去する触媒や、触媒を通過する空気や水分を排気口２９から排出するファンモーターが設けられている。
【００１６】
また、本体ケース１の後部には、基板ケース２５の背面に連結された吸気ダクト３０が設けられている。吸気ダクト３０は、本体ケース１の幅方向に排気口２７と並ぶ吸気口３１を有している。吸気ダクト３０内には、冷却ファンモーターが設けられている。その冷却ファンモーターは、吸気ダクト３０の吸気口３１から外部の空気を冷却空気として吸引し、冷却空気を基板ケース２５を介して本体ケース１内に送り込み、排気口２７から排出している。
【００１７】
本実施の形態においては、本体ケース１の吸気口３１および排気口２７側の周辺部に、害虫であるゴキブリが寄りつかないようにするための忌避剤が施された部材が用いられている。例えば、本体ケース１の背板１ｂや、枠体３のうち吸気カバー６と排気カバー５が設置される後部枠体３ａには、忌避剤がプレコートされた防虫鋼板が使用されている。なお、背板１ｂや後部枠体３ａに加えて、防虫鋼板をプレス加工して構成される吸気カバー６と排気カバー５も用いても良い。
【００１８】
防虫鋼板は、溶融亜鉛メッキ鋼板の表面に約１μの特殊防虫被膜を形成したものである。その特殊防虫被膜は、バース樹脂にピレスロイド系の防虫成分とクロメートフリー防錆成分を混合したものである。そして、特殊防虫被膜を構成する忌避性能を負荷させるための防虫成分は、環境にも優しく，安全性の高い、高融点の物質を使用している。その物質は、無味無臭で、揮発減少がなく、長期間の忌避効果を有している。
【００１９】
前述の防虫鋼板にゴキブリが触れると、忌避剤により異常行動を起こし、防虫鋼板から逃げ出す。防虫鋼板に同じゴキブリが数回接触した場合には防虫鋼板に寄りつかなくなるので、吸気口３１や排気口２７から本体ケース１内へ浸入するゴキブリの数を減らすことができる。
【００２０】
また、本実施の形態においては、本体ケース１の内側の面のうち内部に形成された空間に接する面に、ゴキブリを誘い入れるための害虫誘引器４０が設けられている。具体的には、図２および図３に示すように、本体ケース１を構成する左右の側板１ａ、背板１ｂおよび底板１ｃのうち、例えば、グリル加熱庫２４の背面に形成された空間に接する底板１ｃに、前述の害虫誘引器４０が設置されている。
【００２１】
害虫誘引器４０は、本体ケース１の底板１ｃ側が開放された断面コの字の矩形状箱体から構成され、冷却空気の流れと直交する方向にゴキブリが出入可能な開口が向けられるように設置されている。本実施の形態においては、害虫誘引器４０の短辺の片側の側面にゴキブリの開口が設けられている。開口をその向きに向けているのは、ゴキブリが嫌う風が入らないようにするためで、その開口および内部の高さをゴキブリの触角が上面に接触するように約５ｍｍとしている。なお、その開口に対向する側面にもゴキブリが出入可能な開口を設けても良い。
【００２２】
さらに、本体ケース１の片側の側板１ａの外側の面にも害虫誘引器４１が設置されている。その害虫誘引器４１は、例えば図４に示すように、本体ケース１の側板１ａ側が開放された断面コの字の矩形状箱体から構成され、ゴキブリの出入となる開口がトッププレート２と対向するように設置されている。この場合も、その開口に対向する側面にもゴキブリの出入可能な開口を設けても良い。
【００２３】
前述した害虫誘引器４０、４１は、ゴキブリが好んで留まる場所、つまり、狭い空間で暗い場所を提供するために用意している。本体ケース１の側板１ａに設置された害虫誘引器４１は、キッチン台や、その内側を徘徊するゴキブリを誘い入れて定着させるためである。これにより、加熱調理器の周辺を徘徊しているゴキブリを集めて、本体ケース１内に侵入しないようにしている。
【００２４】
本体ケース１内の底板１ｃに設置された害虫誘引器４０は、吸気口３１や排気口２７、本体ケース１を組み立てたときにできる隙間などから侵入したゴキブリを誘い入れて定着させるためである。これにより、左・右加熱コイル２１Ｌ、２１Ｒや冷却ファンモーター、基板ケース２５内にゴキブリが侵入する可能性が低くなる。
【００２５】
以上のように実施の形態によれば、本体ケース１の側板１ａの外面に害虫誘引器４１を設置し、さらに、本体ケース１の背板１ｂや、枠体３のうち吸気カバー６と排気カバー５が取り付けられる後部枠体３ａに防虫鋼板を使用している。これにより、本体ケース１内へ侵入するゴキブリの数を少なくできる。また、本体ケース１内の底板１ｃに害虫誘引器４０を設置しているので、本体ケース１内に侵入したゴキブリをその害虫誘引器４０内に定着させることが可能になっている。そのため、左・右加熱コイル２１Ｌ、２１Ｒや冷却ファンモーター、基板ケース２５内の電源基板などの充電部に定着する可能性が低くなり、ゴキブリの充電部での感電による部品故障を抑えることができ、長寿命化を図ることが可能になっている。
【００２６】
なお、実施の形態では、本体ケース１の側板１ａの外面に設置された害虫誘引器４１として、側板１ａ側が開放された断面コの字の矩形状箱体を用いたことを述べたが、この形状に限定されるものではない。例えば図５に示すような害虫誘引器４２を本体ケース１の側板１ａの外面に設置して、ゴキブリを定着させるようにしても良い。
【００２７】
図５に示す害虫誘引器４２は、矩形状箱体から構成され、トッププレート２側の側面にゴキブリが出入可能な開口が設けられている。害虫誘引器４２の内面のうち、本体ケース１の側板１ａ側の面には、ゴキブリを捕獲するための粘着材が施されている。また、害虫誘引器４２の本体ケース１の側板１ａと対向する面には、シート状の磁石が貼り付けられている。これにより、害虫誘引器４２を本体ケース１の側板１ａに着脱自在に取り付けられ、定期的に害虫誘引器４２を取り外して、その中に居るゴキブリを排除することができる。なお、前述の開口に対向する側面にもゴキブリが出入可能な開口を設けても良い。
【符号の説明】
【００２８】
１  本体ケース、１ａ  本体ケースの側板、１ｂ  本体ケースの背板、１ｃ  本体ケースの底板、２  トッププレート、３  枠体、３ａ  後部枠体、４  上面操作部、５  排気カバー、６  吸気カバー、７  中央液晶表示部、８  中央火力表示部、９  液晶表示部、１０  火力表示部、１１  グリル扉、１２  前面操作部、１３  火力調節ダイヤル、Ｈ１、Ｈ２、Ｈ３  加熱部、２１Ｌ  左加熱コイル、２１Ｒ  右加熱コイル、２２  ラジエントヒーター、２３  水平仕切板、２４  グリル加熱庫、２４ａ  上ヒーター、２４ｂ  下ヒーター、２５  基板ケース、２６  垂直仕切板、２７  排気口、２８  グリル加熱庫の排気ダクト、２９  グリル加熱庫の排気口、３０  吸気ダクト、３１  吸気口、４０、４１、４２  害虫誘引器。
【図１】
0005591160.tif 000002
【図２】
0005591160.tif 000003
【図３】
0005591160.tif 000004
【図４】
0005591160.tif 000005
【図５】
0005591160.tif 000006